(57)【要約】【課題】  自然な姿勢で簡単にジェルネイルを除去すること。【解決手段】  このジェルオフスティック１００では、本体３を手に持ち前記湾曲部１ｅを爪Ｎの表面に均一に当たるように、当該本体３の爪Ｎに対する角度を調整しながら、当該爪Ｎの表面であって甘皮Ｓ付近に押し付ける。この状態で爪Ｎの先端方向に第一刃１を移動させると、湾曲部１ｅ及び突起１ｄの刃１ｆがジェルネイルに喰い込み、移動に伴いジェルネイルがこそぎ落される。この動作を繰り返してジェルネイルを全てこそぎ落とす。このジェルオフスティック１００によれば、全体がスティック状であり且つその先端で引っ掻くようにしてジェルネイルをこそぎ落とすことになるため、自然な姿勢で簡単に作業が行える。【選択図】  図３
2019201788.tif 000002
【特許請求の範囲】
【請求項１】
長尺の本体と、
前記本体の端にループ状に設けると共に、当該本体の軸方向に対してループ両側かつ下向きに設けた突起及びこれら突起と突起との間に当該突起の形成方向に対して略直交方向に形成され且つ爪の曲率に合わせて湾曲した端縁に刃が形成された湾曲部を有する第一刃と、
を備えたことを特徴とするジェルネイルオフ具。
【発明の詳細な説明】
【技術分野】
【０００１】
本発明は、ジェルネイルを除去する際に用いるジェルネイルオフ具に関するものである。
【背景技術】
【０００２】
従来から爪の上に形成したジェルネイルを除去する方法として、メタルプッシャーと呼ばれる道具が用いられることが多かった。このメタルプッシャーは、先端がスプーン形状になっており、本来は甘皮のケアに使用するものであり、甘皮を押し上げるためのものである。このメタルプッシャーを用いてジェルネイルを除去するには、スプーンのエッジ部分を爪の甘皮の位置から先端に向けて当該爪に押し付けながら動かし、ジェルネイルをこそぎ取る。
【０００３】
なお、上記メタルプッシャーとしては、特許文献１に記載されているような人口爪湾曲具が知られている。
【先行技術文献】
【特許文献】
【０００４】
【特許文献１】特開２００６−１６７３３２号公報
【発明の概要】
【発明が解決しようとする課題】
【０００５】
しかしながら、従来のメタルプッシャーを用いたジェルネイルの除去方法では、無理な姿勢で作業を行わなければならないという問題点があった。図４２は、そのような作業の様子を示す説明図である。同図に示すように、除去する指Ｆを手前に折り曲げ、もう一方の手でメタルプッシャーＰをしっかり把持し、スプーン形状の先端Ｐａを爪Ｎに力を入れて甘皮付近に押し当て、手首をひねる動作により当該爪Ｎに沿って指先端方向に移動させる。このため、爪Ｎに対する先端Ｐａの角度がつかみ難く、作業が行い難いという問題点があった。また、従来のメタルプッシャーでは、上記のような使用方法を余儀なくされるため、先端が鋭利な真新しいメタルプッシャーの場合には、爪Ｎや甘皮に刺さってしまうこともあった。本発明は、係る問題点を解決するためになされたものである。
【課題を解決するための手段】
【０００６】
本発明に係るジェルネイルオフ具は、長尺の本体と、前記本体の端にループ状に設けると共に、当該本体の軸方向に対してループ両側かつ下向きに設けた突起及びこれら突起と突起との間に当該突起の形成方向に対して略直交方向に形成され且つ爪の曲率に合わせて湾曲した端縁に刃が形成された湾曲部を有する第一刃と、を備えたことを特徴とする。
【図面の簡単な説明】
【０００７】
【図１】本発明の実施の形態１に係るジェルオフスティックを示す平面図、右側面図、左側面図、背面図からなる四面図である。
【図２】先端の一部拡大図及び変形例を示す説明図である。
【図３】先端の斜視図及び使用状態を示す説明図である。
【図４】本発明の実施の形態２に係るジェルオフスティックを示す平面図、右側面図、左側面図、背面図からなる四面図である。
【図５】先端の一部拡大図及び変形例を示す説明図である。
【図６】先端の斜視図及び使用状態を示す説明図である。
【図７】実施の形態２に係るジェルオフスティックの変形例を示す説明図である。
【図８】実施の形態２に係るジェルオフスティックの変形例を示す説明図である。
【図９】本発明の実施の形態３に係るジェルオフスティックを示す平面図、右側面図、左側面図、背面図からなる四面図である。
【図１０】先端の一部拡大図及び変形例を示す説明図である。
【図１１】先端の斜視図及び使用状態を示す説明図である。
【図１２】本発明の実施の形態４に係るジェルオフスティックを示す平面図、右側面図、左側面図、背面図からなる四面図である。
【図１３】実施の形態４に係るジェルオフスティックの先端の一部拡大図である。
【図１４】実施の形態４に係るジェルオフスティックの使用状態を示す説明図である。
【図１５】本発明の実施の形態５に係るジェルオフスティックを示す平面図、右側面図、左側面図、背面図からなる四面図である。
【図１６】実施の形態５に係るジェルオフスティックの先端の一部拡大図である。
【図１７】実施の形態５に係るジェルオフスティックの使用方法を示す説明図である。
【図１８】本発明の実施の形態６に係るジェルオフスティックを示す平面図、右側面図、左側面図、背面図からなる四面図である。
【図１９】実施の形態６に係るジェルオフスティックの先端の一部拡大図である。
【図２０】このジェルオフスティックの使用方法を示す説明図である。
【図２１】実施の形態６に係るジェルオフスティックの変形例を示す説明図である。
【図２２】実施の形態６に係るジェルオフスティックの変形例を示す説明図である。
【図２３】本発明の実施の形態７に係るジェルオフスティックを示す平面図、右側面図、左側面図、背面図からなる四面図である。
【図２４】実施の形態７に係るジェルオフスティックの先端の一部拡大図である。
【図２５】実施の形態７に係るジェルオフスティックの使用方法を示す説明図である。
【図２６】本発明の実施の形態８に係るジェルオフスティックを示す平面図、右側面図、左側面図、背面図からなる四面図である。
【図２７】実施の形態８に係るジェルオフスティックの先端の一部拡大図である。
【図２８】実施の形態８に係るジェルオフスティックを示す斜視図である。
【図２９】実施の形態８に係るジェルオフスティックの使用状態を示す説明図である。
【図３０】本発明の実施の形態９に係るネイルオフ具を示す平面図、組立図である。
【図３１】実施の形態９に係るネイルオフ具の使用方法を示す説明図である。
【図３２】実施の形態９に係るネイルオフ具変形例を示す説明図である。
【図３３】実施の形態９に係るネイルオフ具の変形例を示す説明図である。
【図３４】図３３に示したネイルオフ具の使用方法を示す説明図である。
【図３５】刃部を装着した本体の使用方法を示す説明図である。
【図３６】本発明の実施の形態１０に係るネイルオフ具を示す平面図、上面図、断面図である。
【図３７】実施の形態１０に係るネイルオフ具の斜視図である。
【図３８】実施の形態１０に係るネイルオフ具の使用方法を示す説明図である。
【図３９】実施の形態１０に係るネイルオフ具の使用方法を示す説明図である。
【図４０】実施の形態１０に係るネイルオフ具の変形例を示す平面図、側面図、裏面図である。
【図４１】実施の形態１０に係るネイルオフ具の使用方法を示す説明図である。
【図４２】従来のジェルネイルのオフ方法を示す説明図である。
【発明を実施するための形態】
【０００８】
（実施の形態１）
図１は、本発明の実施の形態１に係るジェルオフスティックを示す平面図、右側面図、左側面図、背面図からなる四面図である。図２は、先端の一部拡大図及び変形例を示す説明図である。図３は、先端の斜視図及び使用状態を示す説明図である。このジェルオフスティック１００は、全体が金属製であり、棒状の本体３と、本体３の一端に設けた刃１とから構成される。この本体３の表面には滑り止めのローレット加工が必要により施される。刃１は、先端頂部１ａの形状が略半円形状となる。略半円形状とすることで、爪の甘皮に合わせて当該先端を爪に押し付けることができ、換言すれば、甘皮の際で緻密な作業がしやすくなる。また、刃１では、先端頂部１ａの湾曲の曲率は緩くして甘皮のラインに合わせられるようにし、先端頂部１ａの両側１ｂの湾曲の曲率は大きくして甘皮の両側のカーブに合わせられるようにしてある。これにより、カーブがきつい爪の部分や甘皮の部分に対する作業が行いやすくなる。
【０００９】
刃１は、板状金属を洋梨形状又は滴形状をしたループ状に構成し、一面側の端縁１ｃの軸方向に対して両側の部分に円弧状の山形の突起１ｄが設けられ、軸方向先端の前記突起１ｄの間に湾曲部１ｅ（後述の第二突起のため上下方向では仮想線として存在するものである）を設けた構成である。当該湾曲部１ｅの形状は、爪の表面のカーブに沿った湾曲形状とする。刃１の先端は略半円形状となるため、湾曲部１ｅは上下方向及び水平方向において湾曲した形状となる。湾曲部１ｅの左右両側の突起１ｄは、一般的な形状かつ大きさの爪のサイドラインの多少内側に当たるようにその寸法を設ける。また、突起１ｄは、先端とは反対側は緩やかに傾斜した形状であり、頂点から先端側は外側に湾曲した形状であり、全体として略波形状となっている。頂部には、刃１ｆが形成されている。なお、同図に示すように、突起１ｄは、先端とは反対側は内側に湾曲した形状としても良い。
【００１０】
更に、この湾曲部１ｅには、円弧状の山形の第二突起１ｇが２つ設けられる。このため、湾曲部１ｅは、全体的には湾曲しているがその中に円弧状の第二突起１ｇが設けられた形状となる。各山形の第二突起１ｇの角には鋭く形成された刃１ｆが設けられる。即ち、湾曲部１ｅの端縁角には、ジェルネイルに喰い込ませるための刃１ｆが形成されることになる。第二突起１ｇは、全体が板状金属片のループ形状であることから、前記突起１ｄと突起１ｄとの間に連続的に且つ突起１ｄの形成方向とは略直交方向に平面的に設けられる。また、刃１は、全体がループ形状となるので、内側に開放された空間５が形成される。この空間５から削りカスが排出されるので、刃１の内側に溜まることがない。
【００１１】
更に、刃１の他面側の先端頂部には、ジェルネイルに喰い込ませるための第二刃２が形成される。刃１の他面側は平面視で湾曲しているが、軸方向視では略直線状である。なお、同図に示すように、第二刃２を省略することもできる。
【００１２】
次に、このジェルオフスティック１００の使用方法を説明する。本体３を持ち前記突起１ｄ、１ｇが爪Ｎの表面に均一に当たるように、当該本体３の爪Ｎに対する角度を調整しながら、爪Ｎの表面であって甘皮Ｓ付近に押し付ける。これにより刃１ｆがジェルネイルに喰い込み、この状態で爪Ｎの先端方向に刃１を移動させると（移動方向を図中矢印で示す）、突起１ｄ、１ｇによりジェルネイルの表面に筋が入り、こそぎ落としやすくなる。削りカスは、刃１の内側の空間５に入り込んで排出される。
【００１３】
次に、ジェルオフスティック１００を軸方向に回転させるように持ち替えて、第二刃２を用いてジェルネイルを削り取る。また、甘皮Sを押し上げることもできる。
【００１４】
このジェルオフスティック１００によれば、全体がスティック状であり且つその先端で引っ掻くようにしてジェルネイルをこそぎ落とすことになるため、自然な姿勢で楽に作業が行える。また、刃１の先端頂部１ａが湾曲していることから、ジェルネイルを甘皮の際から綺麗にこそぎ落とすことができる。また、刃１でジェルネイルに筋を付け、ジェルネイルをこそぎ落とすようにすれば、簡単にジェルネイルを除去できる。また、第一刃１及び第二刃２の形成は、本体３と一体で成形しても良いし、別部品として製作して取り付けるようにしても良い。
【００１５】
（実施の形態２）
図４は、本発明の実施の形態２に係るジェルオフスティックを示す平面図、右側面図、左側面図、背面図からなる四面図である。図５は、先端の一部拡大図及び変形例を示す説明図である。図６は、先端の斜視図及び使用状態を示す説明図である。このジェルオフスティック１１０は、実施の形態１に示したジェルオフスティック１００の第二突起１ｇを省略した構造である。また、空間５の形状を小さくして、刃１の強度を向上させた点に特徴がある。
【００１６】
以下に相違点のみ説明する。前記湾曲部１ｅは刃１の一面側に設けられ、その形状は、爪Ｎの表面のカーブに沿った湾曲形状とする。刃１の先端（１ａ，１ｂ）は略半円形状となるため、湾曲部１ｅは上下方向及び水平方向において湾曲した形状となる。この湾曲部１ｅの端縁角および突起１ｄの頂部角には、爪脇溝に入り込ませるための刃１ｆが形成される。湾曲部１ｅは、全体が板状金属片のループ形状であることから、前記突起１ｄと突起１ｄとの間に連続的に且つ突起１ｄの形成方向とは略直交方向に平面的に設けられる。
【００１７】
また、刃１の軸方向中央付近に両側に渡す梁１１１が設けられ、この梁１１１と軸方向後端に向けて板面１１２が設けられて塞がれている。これにより、刃１の強度が向上するため、強い力を加えても変形等を起こし難い。
【００１８】
このジェルオフスティック１１０の使用方法を説明すると、刃１は、本体３を手に持ち前記湾曲部１ｅを爪Ｎの表面に均一に当たるように、当該本体３の爪Ｎに対する角度を調整しながら、当該爪Ｎの表面であって甘皮Ｓ付近に押し付ける。ここで両側の突起１ｄを爪Ｎの表面に先に押し当て、ここを支点として角度調整すると適切な角度を決めやすく、角度を保持しやすい。
【００１９】
この状態で爪Ｎの先端方向に刃１を移動させると（移動方向を図中矢印で示す）、湾曲部１ｅ及び突起１ｄの刃１ｆがジェルネイルに喰い込み、移動に伴いジェルネイルがこそぎ落される。削りカスは、刃１の内側の空間５に入り込んで排出される。前記突起１ｄは、爪のサイドウォールないしサイドラインから少し内側を爪Ｎの先端方向に移動して当該部分においてもジェルネイルをこそぎ落す。この動作を繰り返してジェルネイルを全てこそぎ落とす。
【００２０】
次に、ジェルオフスティックを軸方向に回転させるように持ち替えて、第二刃２を用いてジェルネイルを削り取る。
【００２１】
なお、図７に示すように、第二刃２を省略することもできる。また、図８に示すように、刃１の先端から長手方向中央付近まで（金属部分Ａ）のみを金属製とし、それより後端側の部分（樹脂部分Ｂ）を樹脂製にしても良い。この分割構造にした場合は、先端の金属部分Ａと樹脂部分Ｂとの接合は、公知の差し込み構造にして強度を確保するものとする（図示省略）。なお、後端側の部分を先端とは異なる金属にしても良い。
【００２２】
（実施の形態３）
図９は、本発明の実施の形態３に係るジェルオフスティックを示す平面図、右側面図、左側面図、背面図からなる四面図である。図１０は、先端の一部拡大図及び変形例を示す説明図である。図１１は、先端の斜視図及び使用状態を示す説明図である。このジェルオフスティック１２０は、実施の形態１にかかるジェルオフスティック１００の刃１の先端を斜めに曲げて角度を設けた点に特徴がある。その他の構成は、実施の形態１と同様であるのでその説明を省略し、同一構成要素には同一の符号を付する。
【００２３】
先端の一面側の端縁１ｃの軸方向に対して両側の部分に円弧状の山形の突起１ｄが設けられているところ、当該突起１ｄより若干後端側で刃１の先端までを１５度ほど曲げ形成する。一般的に、鉛筆を持つような姿勢ではジェルオフスティック１２０のワーク面に対する角度が４５度前後となるところ、刃１の先端を予め曲げておくと、そのまま鉛筆をもって作業するような姿勢でうまくジェルオフできるようになる。
【００２４】
（実施の形態４）
図１２は、本発明の実施の形態４に係るジェルオフスティックを示す平面図、右側面図、左側面図、背面図からなる四面図である。図１３は、先端の一部拡大図、図１４は使用状態を示す説明図である。このジェルオフスティック１３０では、先端の刃１は、板状金属片を洋梨形状又は滴形状をしたループ状に形成し、一面側の端縁１ｃの軸方向に対してループ両側の部分に山形の突起１ｄが設けられ、軸方向先端の前記突起１ｄの間には湾曲部１ｅが設けられている。当該湾曲部１ｅの形状は、爪Ｎの表面のカーブに沿った湾曲形状とする。上述のように、刃１の先端（１ａ，１ｂ）は略半円形状となるため、湾曲部１ｅは上下方向及び水平方向において湾曲した形状となる。この湾曲部１ｅの端縁角および突起１ｄの頂部角には、爪脇溝に入り込ませるための刃１ｆが形成される。
【００２５】
湾曲部１ｅの左右両側の突起１ｄは、一般的な形状かつ大きさの爪のサイドラインの多少内側に当たるようにその寸法を設ける。突起１ｄは、先端とは反対側は内側に湾曲した形状であり、頂点から先端側は外側に湾曲した形状であり、全体として波形状となっている。頂部には、刃１ｆが形成されている。湾曲部１ｅは、全体が板状金属片のループ形状であることから、前記突起１ｄと突起１ｄとの間に連続的に且つ突起１ｄの形成方向とは略直交方向に平面的に設けられる。また、刃１は、全体が板状金属片のループ形状となるので、内側に開放された空間５が形成される。この空間５から削りカスが排出されるので、刃１の内側に溜まることがない。
【００２６】
更に、刃の他面側の先端頂部には、ジェルネイルに喰い込ませるための第二刃２が形成される。刃の他面側は平面視で湾曲しているが、軸方向視では略直線状である。
【００２７】
刃１は、本体３を手に持ち前記湾曲部１ｅを爪Ｎの表面に均一に当たるように、当該本体３の爪Ｎに対する角度を調整しながら、当該爪Ｎの表面であって甘皮Ｓ付近に押し付ける。ここで両側の突起１ｄを爪Ｎの表面に先に押し当て、ここを支点として角度調整すると適切な角度を決めやすく、角度を保持しやすい。
【００２８】
この状態で爪Ｎの先端方向に刃１を移動させると（移動方向を図中矢印で示す）、湾曲部１ｅ及び突起１ｄの刃１ｆがジェルネイルに喰い込み、移動に伴いジェルネイルがこそぎ落される。削りカスは、刃１の内側の空間５に入り込んで排出される。前記突起１ｄは、爪のサイドウォールないしサイドラインから少し内側を爪Ｎの先端方向に移動して当該部分においてもジェルネイルをこそぎ落す。この動作を繰り返してジェルネイルを全てこそぎ落とす。
【００２９】
次に、ジェルオフスティック１３０を軸方向に回転させるように持ち替えて、第二刃２を用いてジェルネイルを削り取る。また、甘皮を押し上げることもできる。
【００３０】
（実施の形態５）
図１５は、本発明の実施の形態５に係るジェルオフスティックを示す平面図、右側面図、左側面図、背面図からなる四面図である。図１６は、先端の一部拡大図である。図１７は、使用方法を示す説明図である。このジェルオフスティック１４０は、実施の形態１に係るジェルオフスティック１００の刃１を簡略に構成したものであり、その他の構成は実施の形態１と同様であるからその説明を省略する。刃１４１は、板状金属を洋梨形状又は滴形状をしたループ状に構成し、その角部分を刃部１４２として用いるものである。刃の他面側の先端頂部にも前記同様の角部分を刃部とする第二刃１４３を構成する。第二刃１４３の他面側は平面視で湾曲しているが、軸方向視では略直線状である。
【００３１】
角部分を刃部１４２，１４３として用いることから、角の面取りは行わないか又は研磨を施し、断面視で約９０度の角度を有するようにする。これにより、刃こぼれが少ない強い構造にできる。使用方法については、実施の形態１と同様に、一面側でジェルネイルに筋を付けてこそぎ落とすようにすれば、簡単にジェルネイルを除去できる。また、ジェルオフスティック１４０を軸方向に回転させるように持ち替えて、第二刃１４３を用いてジェルネイルを削り取る。また、甘皮を押し上げることもできる。
【００３２】
（実施の形態６）
図１８は、本発明の実施の形態６に係るジェルオフスティックを示す平面図、右側面図、左側面図、背面図からなる四面図である。図１９は、先端の一部拡大図である。図２０は、このジェルオフスティックの使用方法を示す説明図である。このジェルオフスティック１５０は、全体が金属製である棒状の本体３と、本体３の一端に設けた刃１５１とから構成される。この本体３の表面には滑り止めのローレット加工が必要により施される。
【００３３】
刃１５１は、全体がループ形状に構成される。具体的には、二本の軸部１５２が２０度前後の角度をもって軸方向先端に向かって左右に開いて設けられ、その先端どうしが湾曲した刃部１５３で接続されている。また、軸部１５２は軸方向に対して径方向に若干傾いており、前記刃部１５２が略軸方向線上または径方向中心に位置するようにする（図中、軸方向線上及び径方向中心位置を点線で示す）。このようにすれば、力の作用する部分が軸方向中心に位置することになるから、安定して操作しやすいものとなる。刃部１５３は、略半円形状の梁状であり且つ断面形状は矩形である。このため、矩形の角部が刃として機能する。角部分を刃として用いることから、角の面取りは行わない又は研磨を施し、断面視で約９０度の角度を有するようにする。これにより、刃こぼれが少ない強い構造にできる。
【００３４】
また、刃部１５３を略半円形状とすることで、爪の甘皮に合わせて当該先端を爪に押し付けることができ、換言すれば、甘皮の際で緻密な作業がしやすくなる。刃１５１は、全体がループ形状となるので、内側に開放された空間１５４が形成される。この空間１５４から削りカスが排出されるので、刃１５１の内側に溜まることがない。
【００３５】
次に、このジェルオフスティック１５０の使用方法を説明する。本体３を持ち、前記刃部１５３が爪Ｎの表面に均一に当たるように、当該本体３の爪Ｎに対する角度を調整しながら、爪Ｎの表面であって甘皮Ｓ付近に押し付ける。これにより刃部１５３がジェルネイルに喰い込み、この状態で爪Ｎの先端方向に刃１５１を手前に移動させると（移動方向を図中矢印で示す）、刃部１５３によりジェルネイルがこそぎ落とされる。削りカスは、刃１５１の内側の空間１５４に入り込んで排出される。また、前記姿勢から上に押し上げることで甘皮をケアできる。
【００３６】
このジェルオフスティック１５０によれば、全体がスティック状であり且つその先端で引っ掻くようにしてジェルネイルをこそぎ落とすことになるため、自然な姿勢で楽に作業が行える。また、刃部１５３が湾曲していることから、ジェルネイルを甘皮の際から綺麗にこそぎ落とすことができる。更に、全体の構造が簡単であるので安価に製造しやすい。
【００３７】
また、刃部１５３の他面側に角部を形成して第二刃としても良い。この場合、ジェルオフスティックを軸方向に回転させるように持ち替えて、第二刃を用いてジェルネイルを削り取る。また、甘皮を押し上げることもできる。
【００３８】
また、上記実施の形態において、図２１及び図２２に示すように、軸部１５２を軸方向中心に沿って延出させ、その先端に略半円形状の刃部１５３を設けても良い。
【００３９】
（実施の形態７）
図２３は、本発明の実施の形態７に係るジェルオフスティックを示す平面図、右側面図、左側面図、背面図からなる四面図である。図２４は、先端の一部拡大図である。図２５は、使用方法を示す説明図である。このジェルオフスティック１６０は、全体が樹脂製であり、棒状の本体３と、本体３の一端に設けた刃１６１とから構成される。この本体３の表面には滑り止めのローレット加工が必要により施される。
【００４０】
刃１６１は、先端が二本のつの状になっており、つの部１６２の先端どうしが湾曲した刃部１６３で接続されている。また、つの部１６２は軸方向に対して径方向に若干傾いている。このようにすれば、爪１６１に力を加える部分が軸方向中心に位置することから、安定して操作しやすいものとなる。刃部１６３は、略半円形状の梁状であり且つ断面形状は矩形である。このため、矩形の角部が刃となる。角部分を刃として用いることから、角の面取りは行わない又は研磨を施し、断面視で約９０度の角度を有するようにする。これにより、刃こぼれが少ない強い構造にできる。
【００４１】
刃部１６３の湾曲は、軸方向先端側に外側が向いた略半円形状であり、これにより、爪Ｎの甘皮Ｓに合わせて当該先端を爪Ｎに押し付けることができ、換言すれば、甘皮Ｓの際で緻密な作業がしやすくなる。また、刃部１６３は、湾曲の曲率を緩くして甘皮Ｓのラインに合わせられるようにしてある。これにより、甘皮Ｓの部分に対する作業が行いやすくなる。
【００４２】
また、刃部１６３がつの部１６２の先端に渡って設けられるので、刃１６１の全体がループ形状となり、内側に開放された空間１６４が形成される。この空間１６４から削りカスが排出されるので、刃１６１の内側に溜まることがない。また、刃１６１のうち、角部は樹脂製であるが、刃部１６３は金属製である。このようにすれば、安価に製造できる。
【００４３】
このジェルオフスティック１６０は、本体３を持ち刃部１６３が爪Ｎの表面に当たるように、当該本体３の爪Ｎに対する角度を調整しながら、爪Ｎの表面であって甘皮Ｓ付近に押し付ける。これにより刃がジェルネイルに喰い込み、この状態で爪Ｎの先端方向に刃１６１を移動させると（移動方向を図中矢印で示す）、ジェルネイルの表面に筋が入り、こそぎ落としやすくなる。削りカスは、刃１６１の内側の空間１６４に入り込んで排出される。
【００４４】
このジェルオフスティック１６０によれば、全体がスティック状であり且つその先端で引っ掻くようにしてジェルネイルをこそぎ落とすことになるため、自然な姿勢で楽に作業が行える。また、刃１６１が湾曲していることから、ジェルネイルを甘皮Ｓの際から綺麗にこそぎ落とすことができる。また、刃１６１でジェルネイルに筋を付け、ジェルネイルをこそぎ落とすようにすれば、簡単にジェルネイルを除去できる。
【００４５】
（実施の形態８）
図２６は、本発明の実施の形態８に係るジェルネイルオフ具を示す平面図、右側面図、左側面図、背面図からなる四面図である。図２７は、先端の一部拡大図である。図２８は、斜視図である。図２９は、使用状態を示す説明図である。このジェルネイルオフ具１７０は、実施の形態１に係るジェルオフスティック１００の本体３をコイン形状にした点に特徴がある（なお、図中の刃１は実施の形態１と多少異なるが本発明の要旨は、本体３の形状にある）。その他の構成は実施の形態１と同様であるからその説明を省略する。
【００４６】
本体１7１は持ちやすいように一定の厚さを有するものとし、その表裏面には滑り止めのための溝１７２が設けられる。この本体１７１は、金属製でも樹脂製でもよい。刃１は、当該本体１７１と一体で構成しても良いし、別体として結合する構成にしても良い。
【００４７】
このジェルネイルオフ具１７０では、本体１７１を指挟んで持ち、前記突起１ｄ、１ｇが爪Ｎの表面に均一に当たるように、当該本体１７１の爪Ｎに対する角度を調整しながら、爪Ｎの表面であって甘皮Ｓ付近に押し付ける。これにより刃１ｆがジェルネイルに喰い込み、この状態で爪Ｎの先端方向に刃１を移動させると（移動方向を図中矢印で示す）、突起１ｄ、１ｇによりジェルネイルの表面に筋が入り、こそぎ落としやすくなる。削りカスは、刃１の内側の空間５に入り込んで排出される。
【００４８】
このジェルネイルオフ具１７０によれば、指で摘まむように持つことができ且つその先端で引っ掻くようにしてジェルネイルをこそぎ落とすことになるため、自然な姿勢で楽に作業が行える。また、刃１の先端頂部１ａが湾曲していることから、ジェルネイルを甘皮Ｓの際から綺麗にこそぎ落とすことができる。また、刃１でジェルネイルに筋を付け、ジェルネイルをこそぎ落とすようにすれば、簡単にジェルネイルを除去できる。
【００４９】
また、図示しないが、上記実施の形態２〜７に示した刃を、前記コイン形状の本体１７１に設けることもできる。
【００５０】
（実施の形態９）
図３０は、本発明の実施の形態９に係るジェルネイルオフ具を示す平面図、組立図である。図３１は、このジェルネイルオフ具の使用方法を示す説明図である。このジェルネイルオフ具１８０の本体１８１は、樹脂製の帯状体であり、両端近傍には相互に連結可能なホックが設けられている。この連結部１８２の形態は当該ホックに限定されず、公知の構造を適宜採用できる。樹脂材料は、弾性を有するものであり且つ所定の強度を備えたものとする。
【００５１】
長手方向の一辺には、湾曲した部分の凹部１８３が設けられている。この凹部１８３は、爪Ｎの表面のカーブに沿った湾曲形状とする。この湾曲端縁は、刃部として機能することから、好ましくは断面視で鋭角になるようにする。
【００５２】
次に、本体１８１を同図に示すようにおにぎり形状に巻いて前記連結部１８２にて固定する。この状態で、本体の端部が正面側で交差して固定され、且つ、裏面側で前記凹部１８３が下方に向かって位置することになる。
【００５３】
次に、このジェルネイルオフ具１８０の使用方法について説明する。交差した本体１８１の端部を折り曲げるようにして指で摘まむと、前記凹部１８３がより小さい半径の湾曲先端を形成する。この湾曲先端は、小さい半径で湾曲していることから本体１８１に力が加わっても変形し難く、これにより凹部１８３を爪Ｎに押圧した状態で図中の矢印方向に引くことで、ジェルネイルに喰い込み、その移動に伴いジェルネイルがこそぎ落される。削りカスは、本体１８１が全体としてループ形状となることから、その内部の空間１８４に入り込んで排出される。この動作を繰り返してジェルネイルを全てこそぎ落とす。
【００５４】
使用後は、前記連結部１８２による連結を外して平面状にすることで、持ち運びやすく、収納に便利になる。係る構成のジェルネイルオフ具１８０によれば、きわめて簡単な構造によりジェルオフが可能になる。
【００５５】
また、図３２に示すように、前記凹部１８３を省略して、当該凹部１８３に相当する位置にある、本体の長辺端縁を刃部として用いても良い。
【００５６】
図３３は、ジェルネイルオフ具の変形例を示す説明図である。図３４は、その使用方法を示す説明図である。同図に示すように、刃部を別の部品で構成して、これを前記本体に差し込んで使用するようにしても良い。同図に示す刃部１８６は、全体が略三角形であり表面１８７ａと裏面１８７ｂとが一部で重畳しており且つ表面１８７ａが表面積が大きく、裏面１８７ｂは端部に突起部１８８が設けられる。この突起部１８８は反っている。表面１８７ａと裏面１８７ｂとは湾曲部１８９をもって繋がっており、この繋がっている折り線部分（端縁）には、同図に示す断面図に示すように、刃部１８９ａが形成される。
【００５７】
裏面１８７ｂの三角形状は表面１８７ａの三角形状よりも小さいものとなる。湾曲部１８９は、略半円形状とすることで、爪Ｎの甘皮Ｓに合わせて当該先端を爪Ｎに押し付けることができ、換言すれば、甘皮Ｓの際で緻密な作業がしやすくなる。この刃部１８９ａは、図３２に示した本体１８１の長辺端縁から短手方向に差し込んで固定する。即ち、表面１８７ａと裏面１８７ｂとの間に前記本体１８１が差し込まれて、固定される。その状態を図３４に示す。前記突起部１８８は反っているため、前記本体１８１に差し込むときにガイドとなる。これにより、本体１８１の長辺端縁に刃部１８９ａが設けられる。この刃部１８９ａは樹脂製であり弾性であるが、刃部１８９ａを有効に作用させるためには一定の強度が必要である。
【００５８】
図３５は、この刃部を装着した本体の使用方法を示す説明図である。この場合も、交差した本体１８１の端部を折り曲げるようにして指で摘まむと、前記刃部１８９ａがより小さい半径になるような湾曲先端を形成する。この湾曲先端は、小さい半径で湾曲していることから本体に力が加わっても変形し難く、これにより刃部１８９ａを爪Ｎに押圧した状態で図中の矢印方向に引くことで、ジェルネイルに喰い込み、この移動に伴いジェルネイルがこそぎ落される。削りカスは、本体１８１が全体としてループ形状となることから、その内部の空間１８４に入り込んで排出される。この動作を繰り返してジェルネイルを全てこそぎ落とす。
【００５９】
次に、刃部の切れ味が悪くなってきた場合、刃部１８９ａを本体１８１から抜き取って、新しいものに交換できる。
【００６０】
（実施の形態１０）
図３６は、本発明の実施の形態１０に係るジェルネイルオフ具を示す平面図、上面図、断面図である。図３７は、その斜視図である。このジェルネイルオフ具１９０は、全体がタマゴ形状の本体１９１からなり、当該本体１９１の中央より上部には、同様にタマゴ形状の穴１９２が設けられる。本体１９１の穴１９２の内側端縁には、刃部１９３が穴の中央に向かって突出形成されている。刃部１９３は、同図の断面図に示すように、先端が尖るように成形されている。穴１９２の一面側の内側端縁には刃部１９３ａが、他面側の内側端縁には刃部１９３ｂが設けられる。
【００６１】
更に、前記刃部１９３ａには、複数の山部１９４が設けられる。刃部１９３ｂは、山部１９４は形成されないスムーズな刃となる。また、本体１９１の前記穴１９２が設けられていない部分が把持部１９５となる。把持部１９５には、滑り止め用の長尺の突起１９６が複数形成されている。
【００６２】
図３８及び図３９は、このジェルネイルオフ具の使用方法を示す説明図である。前記把持部１９５を指で摘まんで本体１９１を持つ。この状態で前記穴１９２の所望の位置を爪Ｎのジェルネイルに押し当てて手前に引く（図中矢印で移動方向を示す）。なお、同図では、他面側の刃部１９３ｂを用いてジェルネイルを落とす場合を示す。これにより、前記刃部１９３ｂがジェルネイルに喰い込み、この移動に伴いジェルネイルがこそぎ落される。また、刃部１９３ａを用いる場合、図３９に示すように、本体１９１を反対側にひっくり返して把持部１９５を指で摘まんで持つ。この場合も、刃部１９３ａの山部１９４がジェルネイルに喰い込んで表面に筋を付けることができ、こそぎ落しやすくできる。その後、刃部１９４ｂを用いて前記同様にジェルネイルをこそぎ落とす。削りカスは、本体１９１の穴１９２に入り込んで排出される。この動作を繰り返してジェルネイルを全てこそぎ落とす。
【００６３】
また、ユーザは、穴１９２がタマゴ形状であって曲率が場所によって異なることから、所望の場所を用いてジェルネイルを落とすことができる。即ち、爪Ｎの形状や甘皮Ｓの形状により場所を変えてジェルネイルを落とすことが可能となる。
【００６４】
このジェルネイルオフ具１９０によれば、コンパクトな構成でジェルネイルをこそぎ落とすことができる。また、曲率が異なる刃部１９３を用いることができるので、爪Ｎの状況等に応じて適切に使用できる。また、図３８に示すように、刃部１９４ｂのみを本体１９１の穴１９２の一面側の内側端縁に形成しても良い。係る構成によれば、製造しやすいものとなる。
【００６５】
図４０は、当該ジェルネイルオフ具の変形例を示す平面図、側面図、裏面図である。図４１は、使用方法を示す説明図である。このジェルネイルオフ具２００は、タマゴ形状をした平面板の本体２０１からなる。本体２０１の内側には、同様にタマゴ形状の穴２０２が設けられる。穴２０２の端縁は、刃部２０３となる。この刃部２０３は、板状体であることから、そのままでも使用可能であるが、わずかに端縁を断面視で尖らせることで刃としての作用効果を高めることができる。本体２０１のうち、前記穴２０２が形成されていない部分を把持部２０４とする。把持部２０４には滑り止めの凹部２０５又は凸部２０５が設けられる。
【００６６】
このジェルネイルオフ具２００は、前記把持部２０４を指で摘まんで本体２０１を持つ。この状態で前記穴２０２の所望の位置を爪Ｎのジェルネイルに押し当てて手前に引く（図中矢印で移動方向を示す）。これにより、前記刃部２０３がジェルネイルに喰い込み、その移動に伴いジェルネイルがこそぎ落される。削りカスは、本体の穴２０２に入り込んで排出される。この動作を繰り返してジェルネイルを全てこそぎ落とす。
【００６７】
また、ユーザは、穴２０２の曲率が場所によって異なることから、所望の場所を用いてジェルネイルを落とすことができる。即ち、爪Ｎの形状や甘皮Ｓの形状により場所を変えてジェルネイルを落とすことが可能となる。このジェルネイルオフ具２００は、薄型かつコンパクトであり、簡単に成形できる。例えば、薄い金属板を型抜きして製造することもできる。
【符号の説明】
【００６８】
１００  ジェルオフスティック
１  刃
２  第二刃
３  本体
１ａ  先端頂部
１ｂ  先端頂部両側
１ｄ  突起
１ｅ  湾曲部
１ｆ  刃部
５  空間
【図１】
2019201788.tif 000003
【図２】
2019201788.tif 000004
【図３】
2019201788.tif 000005
【図４】
2019201788.tif 000006
【図５】
2019201788.tif 000007
【図６】
2019201788.tif 000008
【図７】
2019201788.tif 000009
【図８】
2019201788.tif 000010
【図９】
2019201788.tif 000011
【図１０】
2019201788.tif 000012
【図１１】
2019201788.tif 000013
【図１２】
2019201788.tif 000014
【図１３】
2019201788.tif 000015
【図１４】
2019201788.tif 000016
【図１５】
2019201788.tif 000017
【図１６】
2019201788.tif 000018
【図１７】
2019201788.tif 000019
【図１８】
2019201788.tif 000020
【図１９】
2019201788.tif 000021
【図２０】
2019201788.tif 000022
【図２１】
2019201788.tif 000023
【図２２】
2019201788.tif 000024
【図２３】
2019201788.tif 000025
【図２４】
2019201788.tif 000026
【図２５】
2019201788.tif 000027
【図２６】
2019201788.tif 000028
【図２７】
2019201788.tif 000029
【図２８】
2019201788.tif 000030
【図２９】
2019201788.tif 000031
【図３０】
2019201788.tif 000032
【図３１】
2019201788.tif 000033
【図３２】
2019201788.tif 000034
【図３３】
2019201788.tif 000035
【図３４】
2019201788.tif 000036
【図３５】
2019201788.tif 000037
【図３６】
2019201788.tif 000038
【図３７】
2019201788.tif 000039
【図３８】
2019201788.tif 000040
【図３９】
2019201788.tif 000041
【図４０】
2019201788.tif 000042
【図４１】
2019201788.tif 000043
【図４２】
2019201788.tif 000044